(57)【要約】【課題】雨水の滴りにより絶縁部の表面に漏れ電流の経路ができ難く、部材のコスト低減や取り付け作業の経費削減が可能な電線保持構造および碍子配設構造を提供する。【解決手段】架設される電線を碍子装置に取り付けて保持する電線保持構造であって、支持物と、前記支持物に横方向に配設されるアーム部材と、前記アーム部材上で電線を保持するための碍子装置と、を備え、碍子装置は、棒状体の芯材とその外周に多段に形成された笠部とを有して、横方向に配設される電線保持構造とした。【選択図】  図１
2009295547.tif 000002
【特許請求の範囲】
【請求項１】
架設される電線を碍子装置に取り付けて保持する電線保持構造であって、
支持物と、
前記支持物に横方向に配設されるアーム部材と、
前記アーム部材上で電線を保持するための碍子装置と、を備え、
前記碍子装置は、棒状体の芯材とその外周に多段に形成された笠部とを有して、横方向に配設される、ことを特徴とする電線保持構造。
【請求項２】
請求項１に記載の電線保持構造において、
前記碍子装置はポリマー碍子である、ことを特徴とする電線保持構造。
【請求項３】
碍子装置が所定位置に配設される碍子配設構造であって、
支持物と、
前記支持物に横方向に配設されるアーム部材と、
前記アーム部材上で電線を保持する碍子装置と、を備え、
前記碍子装置は、棒状体の芯材とその外周に多段に形成された笠部とを有して、横方向に配設される、ことを特徴とする碍子配設構造。
【発明の詳細な説明】
【技術分野】
【０００１】
本発明は、電柱間に架設される電線を腕金部材上の碍子装置で保持または支持するための電線保持構造および碍子配設構造に関するものである。
【背景技術】
【０００２】
図２は、従来の碍子装置を含む電線保持構造２００を示す説明図であり、張架されて配線される高圧配電線路の電線支持部にピン碍子を用いて、配線される電線を保持(支持)している状態を示す図である。
この電線保持構造２００では、張架される配電線を架設支持するための電柱１０において、水平方向にアーム部材２０が横設され、そのアーム部材２０上には、３個の高圧ピン碍子(ｐ１,ｐ２,ｐ３)が所定の間隔で配置され、電線(ｄ１,ｄ２,ｄ３)を高圧ピン碍子(ｐ１,ｐ２,ｐ３)の上部に設けられた溝部または凹部にバインド線(図示せず)によって緊縛されて固定される構造となっている。
【０００３】
図２の電線保持構造２００では、アーム部材２０は、断面が略正方形の鋼製の型材であり、上下方向に貫通孔(ａ１,ａ２,ａ３)を有し、その下部にアーム部材２０に取り付けるためのボルト部(ｂ１,ｂ２,ｂ３)が設けられている。高圧ピン碍子(ｐ１,ｐ２,ｐ３)は、アーム部材２０の貫通孔(ａ１,ａ２,ａ３)に上方から下方に挿通されて、ボルト部(ｂ１,ｂ２,ｂ３)の突出部にナット(ｎ１,ｎ２,ｎ３)が締結されて、アーム部材２０上に固定保持されている。
【０００４】
本発明の「電線保持構造および碍子配設構造」の技術分野にかかわる特許文献としては、例えば次のようなものがある。
【特許文献１】特開２００６−３１１７７４号公報
【特許文献２】特開２００３−００９３２５号公報
【特許文献３】特開平０９−１４００３４号公報
【発明の開示】
【発明が解決しようとする課題】
【０００５】
図２のような従来の高圧配電線路のピン碍子の取り付け構造では、電線などの充電部とアーム部材(腕金)などの接地部を、絶縁物で垂直方向に支持している構造となっているため，雨水の滴りにより絶縁部の表面に漏れ電流の経路ができやすいという問題点がある。また、高圧ピン碍子の単価が高く、電線取り付け作業に手間や経費が多くかかるという課題もある。
【０００６】
本発明は、上述のような問題点を解決するためになされたものであり、雨水の滴りにより絶縁部の表面に漏れ電流の経路ができ難く、部材のコスト低減・取り付け作業の経費削減が可能で、手間や経費のかからない「電線保持構造および碍子配設構造」を提供することをその目的とする。
【課題を解決するための手段】
【０００７】
（１）架設される電線(ｄ１,ｄ２,ｄ３)を碍子装置３０に取り付けて保持する電線保持構造１００であって、
支持物１０と、
支持物１０に横方向に配設されるアーム部材２０と、
アーム部材２０上で電線(ｄ１,ｄ２,ｄ３)を保持するための碍子装置３０と、を備え、
碍子装置３０は、棒状体の芯材３１とその外周に多段に形成された笠部３２とを有して、横方向に配設される電線保持構造１００とした。
（２）(１)の電線保持構造において、
碍子装置３０はポリマー碍子から構成されている。
【０００８】
（３）碍子装置３０が所定位置に配設される碍子配設構造１００であって、
支持物１０と、
支持物１０に横方向に配設されるアーム部材２０と、
アーム部材２０上で電線(ｄ１,ｄ２,ｄ３)を保持する碍子装置３０と、を備え、
碍子装置３０は、棒状体の芯材３２とその外周に多段に形成された笠部３１とを有して、横方向に配設される碍子配設構造１００とした。
【発明の効果】
【０００９】
本発明の「電線保持構造および碍子配設構造」によれば、電線などの充電部と腕金などの接地部を絶縁部で水平方向を含む横方向に保持(支持)する構造としているので、雨水の滴りによる絶縁部表面の漏れ電流の経路を分断することができ、碍子の漏れ電流を抑制することができる。
また、本発明の設備は従来のものに比べて部材が少なく簡明な構造となっており、コスト低減や取り付け作業の経費削減が可能となる。
【発明を実施するための最良の形態】
【００１０】
さて、本発明による「電線保持構造および碍子配設構造」の実施の形態について、図１を用いて説明する。
図１は、本発明の一実施形態に係るもので、張架されて架設される電線(ｄ１,ｄ２,ｄ３)を碍子装置３０に取り付けて保持(支持)する電線保持構造１００の説明図である。
ここで、支持物１０は電線や付属機材を装着して配置するための電柱であり、この支持物１０に横方向にアーム部材２０配設されている。
【００１１】
このアーム部材２０には電線を保持するための碍子装置３０を備えており、碍子装置３０は、アーム部材２０上に取り付けられた支持装置４０によって保持されている。
この支持装置４０は、アーム部材２０の上面に合わせられてそこに載置されて配設される薄厚の平板形状の「支持本体４１」を備え、その支持本体４１から上方に突出されて碍子装置３０を支持する「左端支持腕４２ｃ−中央支持腕４２ｂ−右端支持腕４２ａ」を備えている。
【００１２】
また、支持装置４０の支持本体４１には、下方に突出される３本の「左側支持ボルトＢ３−中央支持ボルトＢ２−右側支持ボルトＢ１」を備え、これらの支持ボルト(Ｂ１,Ｂ２,Ｂ３)は、アーム部材２０の貫通孔(ａ１,ａ２,ａ３)を上方から下方に挿通されて、突出箇所にナット(ｎ１,ｎ２,ｎ３)が締結されて、アーム部材２０上に固定されている。
ここでは、図２の従来の構造のアーム部材２０をそのまま利用しているので、アーム部材２０の貫通孔(ａ１,ａ２,ａ３)の位置に合わせて、支持装置４０の支持ボルト(Ｂ１,Ｂ２,Ｂ３)を設けている。
【００１３】
図１の電線保持構造１００における碍子装置３０は、棒状体の芯材３１とその外周に多段に形成された笠部３２とを有して、水平方向に配置されたアーム部材２０と略平行にして、水平方向または横方向に配設されている。
また、電線(ｄ１,ｄ２,ｄ３)は、図２のピン碍子を用いた構造と同様な位置および間隔に従って配設され、芯材３１の上部で２つの笠部３２の間の所定の位置に載置され、バインド線(図示せず)によって緊縛されて固定される。なお、電線(ｄ１,ｄ２,ｄ３)は芯材３１の上部でなく下部に配置させることも可能である。
【００１４】
図１の電線保持構造１００における碍子装置３０は、高分子材料からなるポリマー碍子を使用することができる。このポリマー碍子は、棒状体の芯材３１の外周に円板形状または円環立体形状の笠部を多段に形成したもので、多数の笠部は、芯材３１の軸方向において所定間隔を隔てて均等に配列されている。
芯材３１は、ＦＲＰロッドなどの繊維強化樹脂などから形成され、笠部は、モールド成形によるシリコーンゴムやＥＰＤＭなどのゴム材料などから形成されている。
【００１５】
ところで、本発明の碍子装置３０における多数の笠部の配置は、図１では、芯材３１の軸方向において、多数の笠部間に所定間隔を有して均等に配列されているものについて示したが、それに限らず、多数の笠部の配置は均等な配列でない場合もありうる。
すなわち、図１の電線保持構造１００では、３本の電線(ｄ３−ｄ２−ｄ１)が略水平方向に張架されているものの、真ん中に位置する電線ｄ２は、電柱１０があるために中央位置に設置することはできず、漏れ距離(表面距離)を調整するため、多数の笠部の配置は均等な配列にできない場合がありうる。
したがって、芯材３１に多数の笠部を配設するにあたっては、電線間および接地部と十分に漏れ距離(表面距離)をとれるような笠部の外径と配列にするのが好ましい。
【００１６】
本発明の碍子装置３０を電柱のアーム部材上に配設するにあたっては、水平方向を含む横方向に配設されるものとしているが、雨水の滴りによる絶縁部表面の漏れ電流の経路を分断することができ、碍子の漏れ電流を抑制することができるという目的が達成できればよいので、碍子装置３０の配置角度は水平方向からある程度の角度を設けることも可能である。
また、碍子装置３０としては、ポリマー碍子(高分子材料製)を用いて説明しているが、従来からの磁器碍子を使用することも可能であるが、ポリマー碍子には製造容易性、軽量で取り扱い容易、高性能などの多くの利点があって、一層の作業性向上やコストダウンが期待できるものである。
【図面の簡単な説明】
【００１７】
【図１】本発明の一実施形態に係る電線保持構造および碍子配設構造を説明するための図である
【図２】従来の電線保持構造および碍子配設構造を説明するための図である
【符号の説明】
【００１８】
１００    電線保持構造
ｄ１、ｄ２、ｄ３    電線
１０    支持物（電柱）
２０    アーム部材
３０    碍子装置
３１    芯材
３２    笠部
４０    支持装置
４１    支持本体
４２ａ、４２ｂ、４２ｃ    支持腕
Ｂ１、Ｂ２、Ｂ３    支持ボルト
ａ１、ａ２、ａ３    アーム部材の貫通孔
ｎ１、ｎ２、ｎ３    締結用のナット
【図１】
2009295547.tif 000003
【図２】
2009295547.tif 000004